(57)【特許請求の範囲】
【請求項１】
筐体に穿設され前記筐体の内側と外側を連通する大気連通孔を開閉する止水機構を備えた止水機構付き秤であって、
前記大気連通孔の開口周縁に配設されたパッキンと、前記筐体の内側で前記パッキンに当接する球面状の当接面を備えた止水部材と、前記止水部材を前記筐体の内側から外側に向かって付勢し前記止水部材で前記大気連通孔を閉塞するバネ性を有する付勢部材と、前記付勢部材の付勢方向と直交方向に摺動又は前記付勢部材の付勢方向と平行な面内若しくは直交する面内で回動して前記止水部材を前記筐体の外側から内側に向かって押圧し前記大気連通孔を開放する押圧部を備えた開閉切換部と、を有する止水機構を備えたことを特徴とする止水機構付き秤。
【請求項２】
前記開閉切換部の前記押圧部が棒状又は板状に形成され、前記止水機構が、前記筐体に配設され前記開閉切換部を前記押圧部の長手方向に摺動自在に保持する摺動保持部を備え、前記開閉切換部が、前記押圧部の長手方向の途中で前記付勢部材の付勢方向に屈曲又は湾曲して前記止水部材と離間した凹部形成部を備えたことを特徴とする請求項１に記載の止水機構付き秤。
【請求項３】
前記止水機構が、前記筐体に配設され前記開閉切換部を回動自在に支持する回動支持部と、前記押圧部が前記止水部材を押圧する位置及び前記押圧部が前記止水部材と離間する位置で前記開閉切換部を固定する切換固定部と、を備えたことを特徴とする請求項１に記載の止水機構付き秤。
【請求項４】
前記止水機構が、前記筐体に配設され前記開閉切換部を回動自在に支持する回動支持部と、前記開閉切換部の前記押圧部に延設又は突設され載置面に当接して前記開閉切換部を回動させる回動用突起部と、を備えたことを特徴とする請求項１に記載の止水機構付き秤。
【請求項５】
前記筐体の外側で前記大気連通孔の外周に立設された連通孔保護部を備えたことを特徴とする請求項１乃至４の内いずれか１項に記載の止水機構付き秤。
【発明の詳細な説明】
【技術分野】
【０００１】
本発明は、筐体の内側と外側を連通する大気連通孔を必要に応じてワンタッチで開閉することができる止水機構を備えることにより、計量時には大気連通孔を開放して測定精度を確保することができ、非計量時（非使用時）には、大気連通孔を確実に密閉して完全な防水状態とすることができる丸洗い可能な止水機構付き秤に関するものである。
【背景技術】
【０００２】
従来、電子天秤では、筐体内の圧力変化が測定精度に影響することを防ぐために、筐体の内側と外側を連通する大気連通孔が設けられている。
食品などの計量に用いられる電子天秤は、衛生上、清掃の必要があるが、大気連通孔を備えている場合、水をかけたり、水に漬けたりして洗浄することは不可能であった。
拭き掃除では、不衛生になり易く、袋を被せて使用し、定期的に交換するという方法も行われているが、作業性、省資源性に欠けるという問題点があった。
また、大気連通孔を開閉可能な構造にしようとする場合、磁石を使用すると、密閉性に欠けると共に、電子部品の誤動作を招くため、構造が限定されていた。
例えば（特許文献１）には、ケース内への水や塵埃の侵入を防止しつつケース内外を連通させる防水防塵フィルターを備えた防水防塵秤が開示されている。
また、（特許文献２）には、ケースの内側から開口部を通って外側にかけて形成しケースに積載される計量物から伝達される荷重を受ける脚と、ケースの開口部を計量の際に開き非計量の際に密閉する開閉手段とを備えた防水型秤が開示されている。
【特許文献１】特開２００５−３０８６５６号公報
【特許文献２】特開２００３−３２９５０９号公報
【発明の開示】
【発明が解決しようとする課題】
【０００３】
しかしながら上記従来の技術は、以下のような課題を有していた。
（１）（特許文献１）のように開口部にフィルターを備えた秤は、水や塵埃が侵入し難い構造であるが、開口部を密閉するものではなく、完全防水ではないため、下方向から水を掛けたり、秤全体を水に漬けたりして洗浄することができず、止水の信頼性、洗浄作業の効率性に欠けるという課題を有していた。
また、フィルターにゴミが付着すると、測定精度が低下するため、定期的にフィルターを清掃する必要があり、取り扱い性に欠けると共に、構造上、十分な清掃を行うことが困難で、メンテナンス性に欠けるという課題を有していた。
フィルター部の構造によっては、短時間であれば水に漬けることが可能なものもあるが、秤全体を水没させて丸洗いすることは不可能であり、実用性に欠けるという課題を有していた。また、完全に防水することができたとしても、水に漬けることにより、水中に浮遊したゴミがフィルターに付着する可能性があるため、フィルターを使用する限り、実質的に水洗いを行うことはできず、メンテナンス性、洗浄の信頼性に欠けるという課題を有していた。
（２）（特許文献２）は、非計量時に開閉手段により開口部を密閉するものであるが、開閉手段の構造が極めて複雑で部品点数が多く、量産性に欠けるという課題を有していた。
また、秤の自重或いは手動操作で開閉手段を動作させるものであるが、可動部が多いため、動作の安定性に欠けると共に、故障などの不具合が発生し易く、取り扱い性、メンテナンス性に欠けるという課題を有していた。
【０００４】
本発明は上記従来の課題を解決するもので、部品点数の少ない極めて合理的かつ簡素な構造で、大気連通孔の開閉を切換えることが可能な完全防水型の止水機構を備えることにより、不具合が発生し難く、量産性に優れ、大気連通孔の開閉動作をワンタッチで容易に行うことができ、取り扱い性、開閉動作の安定性、開閉状態の確認容易性、止水の確実性に優れ、計量時には大気連通孔を開放して筐体の内側と外側を確実に連通させて測定精度を確保することができると共に、非使用時には大気連通孔を確実に密閉して完全な防水状態を得ることができ、全体を水没させて殺菌、丸洗いによる洗浄を行うことができ、衛生的でメンテナンス性に優れる止水機構付き秤の提供を目的とする。
【課題を解決するための手段】
【０００５】
上記従来の課題を解決するために本発明の止水機構付き秤は、以下の構成を有している。
本発明の請求項１に記載の止水機構付き秤は、筐体に穿設され前記筐体の内側と外側を連通する大気連通孔を開閉する止水機構を備えた止水機構付き秤であって、
前記大気連通孔の開口周縁に配設されたパッキンと、前記筐体の内側で前記パッキンに当接する球面状の当接面を備えた止水部材と、前記止水部材を前記筐体の内側から外側に向かって付勢し前記止水部材で前記大気連通孔を閉塞するバネ性を有する付勢部材と、前記付勢部材の付勢方向と直交方向に摺動又は前記付勢部材の付勢方向と平行な面内若しくは直交する面内で回動して前記止水部材を前記筐体の外側から内側に向かって押圧し前記大気連通孔を開放する押圧部を備えた開閉切換部と、を有する止水機構を備えた構成を有している。
この構成により、以下のような作用が得られる。
（１）止水機構が、大気連通孔の開口周縁に配設されたパッキンと、筐体の内側でパッキンに当接する球面状の当接面を備えた止水部材と、止水部材を筐体の内側から外側に向かって付勢し止水部材で大気連通孔を閉塞するバネ性を有する付勢部材を有するので、非使用時（非計量時）には付勢部材で付勢確実に大気連通孔を閉塞して完全な密閉（防水）状態を得ることができ、筐体内部へゴミや埃などが侵入することを防止できると共に、筐体の全方向から水を掛けたり、筐体全体を水没させたりして短時間で効率的に殺菌、洗浄を行うことができ、衛生的で、測定精度が低下することがなく、メンテナンス性、測定時の信頼性に優れる。
（２）止水部材が球面状の当接面を有するので、パッキンの全周に対して確実かつ均一に止水部材を密着させ、大気連通孔を閉塞して完全な密閉（防水）状態を得ることができ、止水の確実性、信頼性に優れる。
（３）止水機構が、付勢部材の付勢方向と直交方向に摺動又は付勢部材の付勢方向と平行な面内若しくは直交する面内で回動して止水部材を筐体の外側から内側に向かって押圧し大気連通孔を開放する押圧部を備えた開閉切換部を有するので、計量時（使用時）に開閉切換部を摺動又は回動させるだけで、付勢部材の力に抗して押圧部によって止水部材を筐体の内側に確実に移動させて大気連通孔を開放することができ、筐体内の圧力変化が測定精度に影響することを防ぐことができ、操作性、測定精度の信頼性に優れる。
（４）付勢部材が、止水部材を筐体の内側から外側に向かって付勢するバネ性を有するので、開閉切換部を操作して押圧部を止水部材から離間する方向に移動させるだけで、付勢部材によって付勢された止水部材が自動的に筐体の内側から外側に移動し、大気連通孔を確実に閉塞することができ、動作の安定性、止水の確実性に優れる。
【０００６】
ここで、大気連通孔の数は適宜、選択することができるが、特に複数の大気連通孔を設けた場合、大気連通孔を開放することにより、筐体の内側と外側で空気が循環し易く、計量時の筐体内部の圧力変化を確実に吸収することができ、測定精度の信頼性に優れる。また、大気連通孔は筐体の側面部，背面部，底面部などに設けることができるが、特に筐体の底面部に大気連通孔を設けた場合、大気連通孔を開閉する開閉切換部が筐体の側面部や背面部に突出することがなく、省スペース性に優れる。
付勢部材は、バネ性を有するものであれば、板バネでも弦巻バネでもよいが、バネ力が強く、止水部材の保持安定性に優れる弦巻バネが好適に用いられる。止水部材は、パッキンに当接する当接面が球面状であればよく、球状、半球状、砲弾状などに形成することができる。止水部材の当接面の先端部が大気連通孔から筐体の外側に突出するように形成することにより、開閉切換部を摺動又は回動させるだけで、開閉切換部の押圧部を簡便かつ確実に止水部材に当接させて大気連通孔を開放することができる。球状や半球状に形成した止水部材の当接面と反対側に付勢部材である弦巻バネに挿通される円柱や角柱等の突起状の回転防止部を設けた場合、大気連通孔の開閉動作時に止水部材が回転することがなく、筐体の内部にゴミや埃などを巻き込むことを確実に防止でき、メンテナンス性、動作安定性に優れる。また、砲弾状の止水部材は、円柱部を回転防止部として付勢部材である弦巻バネに内挿することにより、回転を防止できるが、止水部材を中空状に形成すれば、円筒部を回転防止部として付勢部材である弦巻バネに外挿することによっても、回転を防止できる。
【０００７】
開閉切換部は、手動によって操作するものでもよいし、載置面に載置した際に自重によって回動するものでもよい。
付勢部材の付勢方向と直交方向に摺動する開閉切換部は、手動で操作するものであり、付勢部材の付勢方向と平行な面内若しくは直交する面内で回動する開閉切換部は、手動で操作するものと自重によって動作するものがある。いずれも計量時は押圧部を止水部材に近づけることにより、押圧部で止水部材を付勢部材による付勢方向と反対方向に押圧して大気連通孔を開放し、非使用時（洗浄時）は押圧部を止水部材から遠ざけて離間させることにより、付勢部材で付勢された止水部材で大気連通孔を閉塞する。開閉切換部を棒状に形成した場合は、その先端部や表面を押圧部とすることもできるし、先端部や長手方向の途中に突起を設けて押圧部とすることもできる。押圧部をテーパ状や曲面状に形成することにより、押圧部で止水部材を押圧する際に、開閉切換部をスムーズに動作させることができ、動作の安定性、確実性に優れる。
複数の大気連通孔を有する場合、１つの開閉切換部に各々の大気連通孔に対応する押圧部を設けることにより、一度の動作で全ての大気連通孔を同時に開閉することができ、取り扱い性、開閉操作の確実性に優れる。
に優れる。
【０００８】
請求項２に記載の発明は、請求項１に記載の止水機構付き秤であって、前記開閉切換部の前記押圧部が棒状又は板状に形成され、前記止水機構が、前記筐体に配設され前記開閉切換部を前記押圧部の長手方向に摺動自在に保持する摺動保持部を備え、前記開閉切換部が、前記押圧部の長手方向の途中で前記付勢部材の付勢方向に屈曲又は湾曲して前記止水部材と離間した凹部形成部を備えた構成を有している。
この構成により、請求項１で得られる作用に加え、以下のような作用が得られる。
（１）開閉切換部の押圧部が棒状又は板状に形成され、止水機構が、筐体に配設され開閉切換部を押圧部の長手方向に摺動自在に保持する摺動保持部を有するので、手動操作によって開閉切換部を付勢部材の付勢方向と直交方向に容易に摺動させることができ、開閉操作の安定性、開閉状態の確認容易性に優れる。
（２）開閉切換部が、押圧部の長手方向の途中で付勢部材の付勢方向に屈曲又は湾曲して止水部材と離間した凹部形成部を有するので、手動操作によって開閉切換部を摺動させ、大気連通孔（止水部材）の位置に凹部形成部の位置を一致させるだけで、付勢部材の復元力により自動的に止水部材が筐体の外側に付勢され、大気連通孔を閉塞することができ、動作の確実性、止水の信頼性に優れる。
【０００９】
ここで、開閉切換部の押圧部を棒状に形成する場合、丸棒状にすることにより、押圧部と止水部材との接触抵抗を減らすことができ、開閉切換部の摺動をスムーズに行うことができ、取り扱い性に優れる。尚、開閉切換部全体や摺動保持部を丸鋼などの丸棒状部材で形成した場合、表面にゴミなどが付着し難く、また付着したゴミを容易に取り除くことができ、衛生的で、メンテナンス性に優れる。
凹部形成部は、筐体の外側に突出する止水部材の突出量に応じて、略くの字型や略半円弧状などに形成することができる。
また、開閉切換部の摺動を止めるストッパー部を設けることにより、操作時に凹部形成部の位置を確認する必要がなく、操作性、止水の確実性に優れる。
【００１０】
請求項３に記載の発明は、請求項１に記載の止水機構付き秤であって、前記止水機構が、前記筐体に配設され前記開閉切換部を回動自在に支持する回動支持部と、前記押圧部が前記止水部材を押圧する位置及び前記押圧部が前記止水部材と離間する位置で前記開閉切換部を固定する切換固定部と、を備えた構成を有している。
この構成により、請求項１で得られる作用に加え、以下のような作用が得られる。
（１）止水機構が、筐体に配設され開閉切換部を回動自在に支持する回動支持部を有するので、手動操作或いは自重の作用によって開閉切換部を付勢部材の付勢方向と平行な面内若しくは直交する面内で回動させることができ、開閉操作の安定性に優れる。
（２）止水機構が、押圧部が止水部材を押圧する位置及び押圧部が止水部材と離間する位置で開閉切換部を固定する切換固定部を有するので、手動操作或いは自重の作用によって開閉切換部を回動させる際に、切換固定部の各々の固定位置で開閉切換部を固定するだけで、大気連通孔の開閉を簡便かつ確実に切り換えることができ、動作の確実性、止水の信頼性に優れる。
【００１１】
ここで、切換固定部としては、開閉切換部を所定の角度だけ回動させた時に、開閉切換部の端面などに当接したり、開閉切換部と係合したりして開閉切換部の回動を止めるものなどが好適に用いられる。
【００１２】
請求項４に記載の発明は、請求項１に記載の止水機構付き秤であって、前記止水機構が、前記筐体に配設され前記開閉切換部を回動自在に支持する回動支持部と、前記開閉切換部の前記押圧部に延設又は突設され載置面に当接して前記開閉切換部を回動させる回動用突起部と、を備えた構成を有している。
この構成により、請求項１で得られる作用に加え、以下のような作用が得られる。
（１）止水機構が、筐体に配設され開閉切換部を回動自在に支持する回動支持部を有するので、自重の作用によって開閉切換部を付勢部材の付勢方向と平行な面内で回動させることができ、開閉動作の安定性に優れる。
（２）止水機構が、開閉切換部の押圧部に延設又は突設され載置面に当接して開閉切換部を回動させる回動用突起部を有するので、筐体を載置面に載置するだけで自重の作用によって自動的に開閉切換部を回動させて押圧部で止水部材を押圧することができ、大気連通孔を確実に開放することができ、動作の確実性、取扱い性に優れる。
【００１３】
ここで、大気連通孔や開閉切換部は筐体の底面部に配置することが好ましい。その場合、筐体の底面部には筐体を支持する脚部を設け、脚部が接地せず、大気連通孔が止水部材で閉塞されている状態（開閉切換部に負荷がかかっていない状態）で、回動用突起部が脚部の接地面よりも突出するように形成する。
【００１４】
請求項５に記載の発明は、請求項１乃至４の内いずれか１項に記載の止水機構付き秤であって、前記筐体の外側で前記大気連通孔の外周に立設された連通孔保護部を備えている構成を有している。
この構成により、請求項１乃至４の内いずれか１項で得られる作用に加え、以下のような作用が得られる。
（１）筐体の外側で大気連通孔の外周に立設された連通孔保護部を有することにより、止水部材に直接、ゴミや埃等が付着し難く、大気連通孔の目詰まりや筐体内部へのゴミの侵入等を効果的に防ぐことができると共に、外力などによって止水部材が誤動作することがなく、メンテナンス性、取り扱い性、動作の信頼性に優れる。
【００１５】
ここで、大気連通孔を筐体の底面部に配置する場合、連通孔保護部の高さを脚部と同じか、脚部よりやや低く形成することにより、筐体を載置面に載置した状態で、周囲からのゴミの付着や侵入を確実に防止でき、信頼性に優れる。
尚、開閉切換部や押圧部を動作させる際に、連通孔保護部と干渉しないように、連通孔保護部には開口部や切り欠き部を設ける。
【発明の効果】
【００１６】
以上のように、本発明の止水機構付き秤によれば、以下のような有利な効果が得られる。
請求項１に記載の発明によれば、
（１）開閉切換部を摺動又は回動させるだけで、ワンタッチで大気連通孔の開放状態と完全密閉（防水）状態を切換えることができ、計量時（使用時）には大気連通孔を開放して筐体内の圧力変化が測定精度に影響することを防ぐことができ、操作性、測定精度の信頼性に優れ、非使用時（非計量時）には止水部材で大気連通孔を完全密閉して筐体内部へのゴミや埃などの侵入を防ぐと共に、筐体の全方向から水を掛けることや、筐体全体を水没させることができ、洗浄作業の自動化が可能で、短時間で効率的に殺菌、洗浄を行うことができる衛生的で、メンテナンス性、測定時の信頼性に優れた完全防水型の止水機構付き秤を提供することができる。
【００１７】
請求項２に記載の発明によれば、請求項１の効果に加え、
（１）棒状に形成された開閉切換部の押圧部の長手方向の途中に、付勢部材の付勢方向に屈曲又は湾曲して止水部材と離間した凹部形成部が形成されているので、手動操作によって開閉切換部を摺動させ、大気連通孔（止水部材）の位置に凹部形成部の位置を一致させるだけで、付勢部材の復元力により自動的に止水部材を筐体の外側に付勢し、止水部材で確実に大気連通孔を閉塞して完全な密閉（防水）状態を得ることができる動作の確実性、開閉状態の確認容易性、止水の信頼性に優れた止水機構付き秤を提供することができる。
【００１８】
請求項３に記載の発明によれば、請求項１の効果に加え、
（１）手動操作或いは自重の作用によって開閉切換部を回動させる際に、切換固定部によって、押圧部が止水部材を押圧する位置若しくは押圧部が止水部材と離間する位置を選択して開閉切換部を固定することができ、大気連通孔の開閉を簡便かつ確実に切り換えることができる動作の確実性、止水の信頼性に優れた止水機構付き秤を提供することができる。
【００１９】
請求項４に記載の発明によれば、請求項１の効果に加え、
（１）筐体を載置面に載置するだけで、開閉切換部の押圧部に延設又は突設された回動用突起部を載置面に当接させることができ、自重の作用によって自動的に開閉切換部を回動させて押圧部で止水部材を押圧し、大気連通孔を確実に開放することができる動作の確実性、取扱い性に優れた止水機構付き秤を提供することができる。
【００２０】
請求項５に記載の発明によれば、請求項１乃至４の内いずれか１項の効果に加え、
（１）筐体の外側で大気連通孔の外周に立設された連通孔保護部により、止水部材へのゴミや埃等の付着を低減でき、大気連通孔の目詰まりや筐体内部へのゴミの侵入等を効果的に防ぐことができるだけでなく、外力などによって止水部材が誤動作することを防止することができるメンテナンス性、取り扱い性、動作の信頼性に優れた止水機構付き秤を提供することができる。
【発明を実施するための最良の形態】
【００２１】
以下、本発明を実施するための最良の形態を、図面を参照しながら説明する。
（実施の形態１）
図１は本発明の実施の形態１の止水機構付き秤の未使用時の状態を示す部分破断模式側面図であり、図２は本発明の実施の形態１の止水機構付き秤の未使用時の状態を示す模式底面図である。
図１中、１は実施の形態１における止水機構付き秤、２は止水機構付き秤１の筐体、２ａは筐体２の上部に配設された止水機構付き秤１の計量皿、３は筐体２の底面部２ｂの四隅に突設された止水機構付き秤１の脚部、４は止水機構付き秤１の底面部２ｂに配設された完全防水型の止水機構、５は筐体２の底面部２ｂに穿設され筐体２の内側と外側を連通する左右２つの大気連通孔、６は大気連通孔５の開口周縁に配設された止水機構４のパッキン、７は球状に形成され筐体２の内側でパッキン６に当接する止水機構４の止水部材、８は止水部材７を筐体２の内側から外側に向かって付勢し止水部材７で大気連通孔５を閉塞する弦巻バネを用いた止水機構４の付勢部材、９は筐体２の内部で止水部材７を収容する止水部材収容部９ａと付勢部材８を保持する付勢部材保持部９ｂを有する止水機構形設部、１０は止水機構形設部９の上面に穿設された通気孔、１１は付勢部材８の付勢方向と直交方向に摺動して止水部材７を筐体２の外側から内側に向かって押圧し大気連通孔５を開放する棒状の押圧部１１ａを備えた止水機構４の開閉切換部、１１ｂは押圧部１１ａの長手方向の途中で付勢部材８の付勢方向に円弧状に湾曲して止水部材７と離間した開閉切換部１１の凹部形成部、１１ｃは押圧部１１ａの長手方向の一端部に配設され後述する摺動保持部１２に当接して開閉切換部１１の摺動を止めるストッパー部、３０は止水機構付き秤１が載置される載置面である。
図２中、１１ｄは左右２つの大気連通孔５に対応して配設された２つの押圧部１１ａの他端部を連結した開閉切換部１１の操作部、１２は筐体２の底面部２ｂに略コの字型に形設され開閉切換部１１を押圧部１１ａの前後２箇所で長手方向に摺動自在に保持する止水機構４の摺動保持部、１３は筐体２の底面部２ｂの外側で大気連通孔５の外周に押圧部１１ａを挟んで対向するように立設された半円弧状の連通孔保護部である。
【００２２】
次に、止水機構付き秤の使用方法について説明する。
図３は本発明の実施の形態１の止水機構付き秤の使用時の状態を示す部分破断模式側面図である。
計量時（使用時）は、図１の状態から開閉切換部１１の操作部１１ｄを把持し、手前に引き出すと、ストッパー部１１ｃが摺動保持部１２に当接して開閉切換部１１の摺動が停止する。ストッパー部１１ｃにより開閉切換部１１が摺動保持部１２から抜け落ちることがなく、操作性に優れる。
これにより、押圧部１１ａで止水部材７を付勢部材８による付勢方向と反対方向に押圧して大気連通孔５を開放でき、筐体２内部の圧力変化が測定精度に影響を与えることがなく、正確な計量を行うことができる。
非使用時は、開閉切換部１１を逆方向に摺動させ、図１の状態に戻すことにより、付勢部材８で付勢された止水部材７で大気連通孔５を閉塞して止水することができ、完全な密閉（防水）状態を得ることができる。これにより、止水機構付き秤１に水を掛けたり、全体を水に浸けたりしても、筐体２内部の電子部品が壊れることがなく、殺菌、丸洗いによる洗浄を行うことができる。また、手作業による洗浄以外に、洗浄装置を用いて洗浄作業を自動化することもでき、複数の止水機構付き秤１を短時間で効率的に洗浄することができ、洗浄作業の省力性、洗浄の効率性を向上させることができる。
【００２３】
尚、大気連通孔５の数や配置は適宜、選択することができるが、本実施の形態では、２つの大気連通孔５を設けたことにより、大気連通孔５を開放した際に、筐体２の内側と外側で空気が循環し易く、計量時の筐体２内部の圧力変化を確実に吸収することができ、測定精度の信頼性に優れる。
また、大気連通孔５は筐体２の側面部や背面部などにも設けることができるが、特に筐体２の底面部２ｂに大気連通孔５を設けたことにより、大気連通孔５を開閉する開閉切換部１１が筐体２の側面部や背面部に突出することがなく、操作性に優れる。
さらに、各々の大気連通孔５に対応する押圧部１１ａを１つの開閉切換部１１で操作できるので、一度の動作で２つの大気連通孔５を同時に開閉することができ、いずれか一方の大気連通孔５の開閉操作を忘れることがなく、取り扱い性、開閉操作の確実性に優れる。
本実施の形態では、開閉切換部１１や摺動保持部１２を丸鋼で形成したことにより、その表面にゴミなどが付着し難く、また付着したゴミを容易に取り除くことができ、衛生的で、メンテナンス性に優れる。また、押圧部１１ａの表面が曲面状であるため、押圧部１１ａで止水部材７を押圧する際に、開閉切換部１１をスムーズに動作させることができ、動作の安定性、確実性に優れる。尚、押圧部１１ａは、左右各々の大気連通孔５に対応させて２本の棒状に形成する代わりに、左右の大気連通孔５に共通の１枚の板状に形成することもできる。
連通孔保護部１３の高さを脚部３と同じか、脚部３よりやや低い程度に形成することにより、筐体２を載置面３０に載置した状態で、周囲からの大気連通孔５へのゴミの付着や侵入を確実に防止でき、信頼性に優れる。また、連通孔保護部１３の高さを脚部３と同じに形成した場合、連通孔保護部１３で脚部３を兼用し、前方の脚部３を不要とすることができる。
【００２４】
次に、実施の形態１の止水機構付き秤における止水機構の変形例について説明する。
図４は本発明の実施の形態１の止水機構付き秤の止水機構の第１の変形例を示す要部破断模式側面図であり、図５は本発明の実施の形態１の止水機構付き秤の止水機構の第２の変形例を示す要部破断模式側面図である。
図４において、第１の変形例の止水機構４ａが実施の形態１と異なるのは、実施の形態１と同様に球状に形成された止水部材７の当接面と反対側に付勢部材８である弦巻バネに挿通される円柱や角柱等の突起状の回転防止部７ａを備えている点である。
図５において、第２の変形例の止水機構４ｂが実施の形態１と異なるのは、止水部材７ｂ全体が中空の砲弾状に形成され付勢部材８である弦巻バネに外挿されている点である。
いずれも、大気連通孔５の開閉動作時に止水部材７，７ｂが回転することがなく、筐体２の内部にゴミや埃などを巻き込むことを確実に防止でき、メンテナンス性、動作安定性に優れる。
【００２５】
以上のように、本発明の実施の形態１における止水機構付き秤は構成されているので、以下のような作用が得られる。
（１）止水機構が、大気連通孔の開口周縁に配設されたパッキンと、筐体の内側でパッキンに当接する球面状の当接面を備えた止水部材と、止水部材を筐体の内側から外側に向かって付勢し止水部材で大気連通孔を閉塞するバネ性を有する付勢部材を有するので、非使用時（非計量時）には付勢部材で付勢確実に大気連通孔を閉塞して完全な密閉（防水）状態を得ることができ、筐体内部へゴミや埃などが侵入することを防止できると共に、筐体の全方向から水を掛けたり、筐体全体を水没させたりして短時間で効率的に殺菌、洗浄を行うことができ、衛生的で、測定精度が低下することがなく、メンテナンス性、測定時の信頼性に優れる。
（２）止水部材が球面状の当接面を有するので、パッキンの全周に対して確実かつ均一に止水部材を密着させ、大気連通孔を閉塞して完全な密閉（防水）状態を得ることができ、止水の確実性、信頼性に優れる。
（３）止水機構が、付勢部材の付勢方向と直交方向に摺動して止水部材を筐体の外側から内側に向かって押圧し大気連通孔を開放する押圧部を備えた開閉切換部を有するので、計量時（使用時）に開閉切換部を摺動させるだけで、付勢部材の力に抗して押圧部によって止水部材を筐体の内側に確実に移動させて大気連通孔を開放することができ、筐体内の圧力変化が測定精度に影響することを防ぐことができ、操作性、測定精度の信頼性に優れる。
（４）付勢部材が、止水部材を筐体の内側から外側に向かって付勢するバネ性を有するので、開閉切換部を操作して押圧部を止水部材から離間する方向に移動させるだけで、付勢部材によって付勢された止水部材が自動的に筐体の内側から外側に移動し、大気連通孔を確実に閉塞することができ、動作の安定性、止水の確実性に優れる。
（５）開閉切換部の押圧部が棒状に形成され、止水機構が、筐体に配設され開閉切換部を押圧部の長手方向に摺動自在に保持する摺動保持部を有するので、手動操作によって開閉切換部を付勢部材の付勢方向と直交方向に容易に摺動させることができ、開閉操作の安定性に優れる。
（６）開閉切換部が、押圧部の長手方向の途中で付勢部材の付勢方向に湾曲して止水部材と離間した凹部形成部を有するので、手動操作によって開閉切換部を摺動させ、大気連通孔（止水部材）の位置に凹部形成部の位置を一致させるだけで、付勢部材の復元力により自動的に止水部材が筐体の外側に付勢され、大気連通孔を閉塞することができ、動作の確実性、止水の信頼性に優れる。
（７）筐体の外側で大気連通孔の外周に立設された連通孔保護部を有することにより、止水部材に直接、ゴミや埃等が付着し難く、大気連通孔の目詰まりや筐体内部へのゴミの侵入等を効果的に防ぐことができ、メンテナンス性、取り扱い性に優れると共に、外力などによって止水部材が誤動作することがなく、動作の信頼性に優れる。
【００２６】
（実施の形態２）
図６は本発明の実施の形態２の止水機構付き秤の使用時の状態を示す部分破断模式側面図である。尚、実施の形態１と同様のものは、同じ符号を付して説明を省略する。
図６において、実施の形態２における止水機構付き秤１ａが実施の形態１と異なるのは、止水機構４ｃが、筐体２の底面部２ｂに配設され略棒状に形成された開閉切換部２１の押圧部２１ａを回動軸２１ｂにおいて回動自在に支持する回動支持部１２ａと、開閉切換部２１の押圧部２１ａに延設され載置面３０に当接して開閉切換部２１を回動させる回動用突起部２１ｃを有する点である。
本実施の形態では、連通孔保護部１３を省略したが、実施の形態１と同様に設けることができる。
【００２７】
次に、止水機構付き秤の使用方法について説明する。
実施の形態２における止水機構付き秤１ａの使用方法が実施の形態１と異なるのは、止水機構４ｃによる大気連通孔５の開閉を手動で行うのではなく、止水機構付き秤１ａの自重によって行っている点である。
計量時（使用時）は、図６に示すように、止水機構付き秤１ａを載置面３０に載置するだけで、開閉切換部２１の回動用突起部２１ｃが載置面３０に当接し、付勢部材８の付勢方向と平行な面内で開閉切換部２１が回動する。
これにより、押圧部２１ａで止水部材７を付勢部材８による付勢方向と反対方向に押圧して大気連通孔５を開放でき、筐体２内部の圧力変化が測定精度に影響を与えることがなく、正確な計量を行うことができる。
非使用時は、止水機構付き秤１ａを持ち上げれば、想像線で示したように開閉切換部２１が逆方向に回動し、付勢部材８で付勢された止水部材７で大気連通孔５を閉塞して止水することができる。止水機構付き秤１ａを横にしたり、立て掛けたりすれば、大気連通孔５が閉塞された状態となるので、止水機構付き秤１ａに水を掛けたり、全体を水に浸けたりしても、筐体２内部の電子部品が壊れることがなく、殺菌、丸洗いによる洗浄を行うことができる。
【００２８】
以上のように、本発明の実施の形態２における止水機構付き秤は構成されているので、実施の形態１の（１），（２），（４）で得られる作用に加え、以下のような作用が得られる。
（１）止水機構が、筐体に配設され開閉切換部を回動自在に支持する回動支持部を有するので、自重の作用によって開閉切換部を付勢部材の付勢方向と平行な面内で回動させることができ、開閉動作の安定性に優れる。
（２）止水機構が、開閉切換部の押圧部に延設され載置面に当接して開閉切換部を回動させる回動用突起部を有するので、筐体を載置面に載置するだけで自重の作用によって自動的に開閉切換部を回動させて押圧部で止水部材を押圧することができ、大気連通孔を確実に開放することができ、動作の確実性、取扱い性に優れる。
【００２９】
（実施の形態３）
図７（ａ）は本発明の実施の形態３の止水機構付き秤の使用時の状態を示す部分破断要部模式側面図であり、図７（ｂ）は本発明の実施の形態３の止水機構付き秤の使用時の状態を示す模式正面図である。尚、実施の形態１又は２と同様のものは、同じ符号を付して説明を省略する。
図７において、実施の形態３における止水機構付き秤１ｂが実施の形態１と異なるのは、大気連通孔５が筐体２の底面部２ｂに直接穿設されるのではなく、筐体２の底面部２ｂに着脱自在に配設される板状の大気連通孔形成部材５ａに穿設されている点と、止水機構４ｄが、筐体２の底面部２ｂに配設され略棒状に形成された開閉切換部２１Ａの押圧部２１ａの一端部を回動軸２１ｂにおいて回動自在に支持する回動支持部１２ａと、筐体２の底面部２ｂに配設され左右の押圧部２１ａが止水部材７を押圧する位置及び押圧部２１ａが止水部材７と離間する位置で開閉切換部２１Ａを固定する切換固定部１５を有する点と、開閉切換部２１Ａが左右の押圧部２１ａの他端部を連結した略コ字型の操作部２１ｄを有する点である。
尚、大気連通孔形成部材５ａの外周部は、シール材５ｂにより筐体２の底面部２ｂと水密及び気密に密着されている。大気連通孔形成部材５ａは、ねじ止めなどにより着脱自在に固定できる。
図７においては、説明の都合上、脚部３を省略したが、実施の形態１と同様の脚部３を備えている。
大気連通孔５が、筐体２の底面部２ｂに着脱自在に配設される板状の大気連通孔形成部材５ａに穿設されているので、大気連通孔形成部材５ａを取り外すだけで、大掛かりな分解作業を行うことなく、簡便にパッキン６，止水部材７，付勢部材８の交換や清掃を行うことができ、メンテナンス性に優れる。
【００３０】
次に、実施の形態３における止水機構付き秤の止水機構の切換固定部の詳細について説明する。
図８（ａ）は図７（ａ）のＡ−Ａ線矢視模式断面図であり、図８（ｂ）は本発明の実施の形態３の止水機構付き秤の止水機構の切換固定部の変形例を示す要部断面模式正面図である。
図８中、１５ａは切換固定部１５の側面に円弧状に形成され押圧部２１ａが止水部材７を押圧する位置で押圧部２１ａと係合して開閉切換部２１Ａを固定する切換固定部１５の第一係合部、１５ｂは切換固定部１５の側面に円弧状に形成され押圧部２１ａが止水部材７と離間する位置で押圧部２１ａと係合して開閉切換部２１Ａを固定する第二係合部である。
【００３１】
次に、止水機構付き秤の使用方法について説明する。
実施の形態３における止水機構付き秤１ｂの使用方法が実施の形態１と異なるのは、実施の形態１のように開閉切換部１１を付勢部材８の付勢方向と直交方向に摺動させるのではなく、開閉切換部２１Ａを付勢部材８の付勢方向と平行な面内で回動させて大気連通孔５の開閉を行う点である。
計量時（使用時）は、開閉切換部２１Ａの操作部２１ｄを把持し、上方に引き上げるように回動させると、図７（ａ），図８（ａ）の実線で示すように、押圧部２１ａが切換固定部１５の第一係合部１５ａに係合して開閉切換部２１Ａの回動が停止する。
これにより、押圧部２１ａで止水部材７を付勢部材８による付勢方向と反対方向に押圧して大気連通孔５を開放でき、筐体２内部の圧力変化が測定精度に影響を与えることがなく、正確な計量を行うことができる。
非使用時は、開閉切換部２１Ａを手前に引くように回動させれば、図７（ａ），図８（ａ）の想像線で示したように、押圧部２１ａが切換固定部１５の第二係合部１５ｂに係合して開閉切換部２１Ａの回動が停止し、付勢部材８で付勢された止水部材７で大気連通孔５を閉塞して止水することができる。これにより、止水機構付き秤１ｂに水を掛けたり、全体を水に浸けたりしても、筐体２内部の電子部品が壊れることがなく、殺菌、丸洗いによる洗浄を行うことができる。
【００３２】
次に、実施の形態３の止水機構付き秤の止水機構における切換固定部の変形例について説明する。
図８（ｂ）において、変形例の切換固定部１５が実施の形態３と異なるのは、切換固定部１５に第一係合部１５ａ，第二係合部１５ｂを形成する代わりに、切換固定部１５に貫設されたプランジャー１５ｃを備えている点である。プランジャー１５ｃの位置を境にしてその上下で、押圧部２１ａが止水部材７を押圧する位置及び押圧部２１ａが止水部材７と離間する位置を切り替えることができる。
【００３３】
以上のように、本発明の実施の形態３における止水機構付き秤は構成されているので、実施の形態１の（１），（２），（４）で得られる作用に加え、以下のような作用が得られる。
（１）止水機構が、付勢部材の付勢方向と平行な面内で回動して止水部材を筐体の外側から内側に向かって押圧し大気連通孔を開放する押圧部を備えた開閉切換部を有するので、計量時（使用時）に開閉切換部を回動させるだけで、付勢部材の力に抗して押圧部によって止水部材を筐体の内側に確実に移動させて大気連通孔を開放することができ、筐体内の圧力変化が測定精度に影響することを防ぐことができ、操作性、測定精度の信頼性に優れる。
（２）止水機構が、筐体に配設され開閉切換部を回動自在に支持する回動支持部を有するので、手動操作によって開閉切換部を付勢部材の付勢方向と平行な面内で回動させることができ、開閉動作の安定性に優れる。
（３）止水機構が、押圧部が止水部材を押圧する位置及び押圧部が止水部材と離間する位置で開閉切換部を固定する切換固定部を有するので、手動操作によって開閉切換部を回動させる際に、切換固定部の各々の固定位置で開閉切換部を固定するだけで、大気連通孔の開閉を簡便かつ確実に切り換えることができ、動作の確実性、止水の信頼性に優れる。
【００３４】
（実施の形態４）
図９（ａ）は本発明の実施の形態４の止水機構付き秤の未使用時の状態を示す要部模式側面図であり、図９（ｂ）は本発明の実施の形態４の止水機構付き秤の未使用時の状態を示す模式正面図であり、図１０（ａ）は本発明の実施の形態４の止水機構付き秤の使用時の状態を示す止水機構の模式正面図であり、図１０（ｂ）は図１０（ａ）のＢ−Ｂ線矢視断面模式図である。尚、実施の形態１乃至３と同様のものは、同じ符号を付して説明を省略する。
図９において、実施の形態４における止水機構付き秤１ｃが実施の形態１乃至３と異なるのは、止水機構４ｅ及び大気連通孔５が筐体２の側面部に配設されている点である。
また、図１０において、止水機構４ｅが、実施の形態３における止水機構付き秤１ｂの止水機構４ｄと異なる点は、開閉切換部２１Ｂの押圧部２１ａが、その長手方向の中央部で回動支持部１２ｂによって付勢部材８の付勢方向と直交する面内で回動自在に支持されている点と、押圧部２１ａが止水部材７を押圧する位置及び押圧部２１ａが止水部材７と離間する位置で押圧部２１ａの側面に当接して開閉切換部２１Ｂを固定する２本の突起状の切換固定部２５を有する点である。
【００３５】
次に、止水機構付き秤の使用方法について説明する。
実施の形態４における止水機構付き秤１ｃの使用方法が実施の形態３と異なるのは、実施の形態３のように開閉切換部２１Ａを付勢部材８の付勢方向と平行な面内で回動させるのではなく、開閉切換部２１Ｂを付勢部材８の付勢方向と直交する面内で回動させて大気連通孔５の開閉を行う点である。
計量時（使用時）は、図９に示す状態から、開閉切換部２１Ｂの押圧部２１ａを図９（ａ）の矢印方向に回動させると、図１０の実線で示すように、押圧部２１ａの両側面部が切換固定部２５に当接して開閉切換部２１Ｂの回動が停止する。
これにより、押圧部２１ａで止水部材７を付勢部材８による付勢方向と反対方向に押圧して大気連通孔５を開放でき、筐体２内部の圧力変化が測定精度に影響を与えることがなく、正確な計量を行うことができる。
非使用時は、図１０に示す状態から、開閉切換部２１Ｂの押圧部２１ａを図１０（ａ）の矢印方向に回動させると、図９（図１０（ａ）の想像線）で示すように、押圧部２１ａの両側面部が切換固定部２５に当接して開閉切換部２１Ｂの回動が停止し、付勢部材８で付勢された止水部材７で大気連通孔５を閉塞して止水することができる。これにより、止水機構付き秤１ｃに水を掛けたり、全体を水に浸けたりしても、筐体２内部の電子部品が壊れることがなく、殺菌、丸洗いによる洗浄を行うことができる。
【００３６】
以上のように、本発明の実施の形態４における止水機構付き秤は構成されているので、実施の形態１の（１），（２），（４）で得られる作用に加え、以下のような作用が得られる。
（１）止水機構が、付勢部材の付勢方向と直交する面内で回動して止水部材を筐体の外側から内側に向かって押圧し大気連通孔を開放する押圧部を備えた開閉切換部を有するので、計量時（使用時）に開閉切換部を回動させるだけで、付勢部材の力に抗して押圧部によって止水部材を筐体の内側に確実に移動させて大気連通孔を開放することができ、筐体内の圧力変化が測定精度に影響することを防ぐことができ、操作性、測定精度の信頼性に優れる。
（２）止水機構が、筐体に配設され開閉切換部を回動自在に支持する回動支持部を有するので、手動操作によって開閉切換部を付勢部材の付勢方向と直交する面内で回動させることができ、開閉動作の安定性に優れる。
（３）止水機構が、押圧部が止水部材を押圧する位置及び押圧部が止水部材と離間する位置で開閉切換部を固定する切換固定部を有するので、手動操作によって開閉切換部を回動させる際に、切換固定部の各々の固定位置で開閉切換部を固定するだけで、大気連通孔の開閉を簡便かつ確実に切り換えることができ、動作の確実性、止水の信頼性に優れる。
【産業上の利用可能性】
【００３７】
本発明は、部品点数の少ない極めて合理的かつ簡素な構造で、大気連通孔の開閉を切換えることが可能な完全防水型の止水機構を備えることにより、不具合が発生し難く、量産性に優れ、大気連通孔の開閉動作をワンタッチで容易に行うことができ、取り扱い性、開閉動作の安定性、開閉状態の確認容易性、止水の確実性に優れ、計量時には大気連通孔を開放して筐体の内側と外側を確実に連通させて測定精度を確保することができると共に、非使用時には大気連通孔を確実に密閉して完全な防水状態を得ることができ、全体を水没させて殺菌、丸洗いによる洗浄を行うことができ、衛生的でメンテナンス性に優れる止水機構付き秤の提供を行うことができ、特に食品の計量などを行うクリーンな環境において好適に用いることができる。
【図面の簡単な説明】
【００３８】
【図１】本発明の実施の形態１の止水機構付き秤の未使用時の状態を示す部分破断模式側面図
【図２】本発明の実施の形態１の止水機構付き秤の未使用時の状態を示す模式底面図
【図３】本発明の実施の形態１の止水機構付き秤の使用時の状態を示す部分破断模式側面図
【図４】本発明の実施の形態１の止水機構付き秤の止水機構の第１の変形例を示す要部破断模式側面図
【図５】本発明の実施の形態１の止水機構付き秤の止水機構の第２の変形例を示す要部破断模式側面図
【図６】本発明の実施の形態２の止水機構付き秤の使用時の状態を示す部分破断模式側面図
【図７】（ａ）本発明の実施の形態３の止水機構付き秤の使用時の状態を示す部分破断要部模式側面図（ｂ）本発明の実施の形態３の止水機構付き秤の使用時の状態を示す模式正面図
【図８】（ａ）図７（ａ）のＡ−Ａ線矢視模式断面図（ｂ）本発明の実施の形態３の止水機構付き秤の止水機構の切換固定部の変形例を示す要部断面模式正面図
【図９】（ａ）本発明の実施の形態４の止水機構付き秤の未使用時の状態を示す要部模式側面図（ｂ）本発明の実施の形態４の止水機構付き秤の未使用時の状態を示す模式正面図
【図１０】（ａ）本発明の実施の形態４の止水機構付き秤の使用時の状態を示す止水機構の模式正面図（ｂ）図１０（ａ）のＢ−Ｂ線矢視断面模式図
【符号の説明】
【００３９】
１，１ａ，１ｂ，１ｃ  止水機構付き秤
２  筐体
２ａ  計量皿
２ｂ  底面部
３  脚部
４，４ａ，４ｂ，４ｃ，４ｄ，４ｅ  止水機構
５  大気連通孔
５ａ  大気連通孔形成部材
５ｂ  シール材
６  パッキン
７，７ｂ  止水部材
７ａ  回転防止部
８  付勢部材
９  止水機構形設部
９ａ  止水部材収容部
９ｂ  付勢部材保持部
１０  通気孔
１１，２１，２１Ａ，２１Ｂ  開閉切換部
１１ａ，２１ａ  押圧部
１１ｂ  凹部形成部
１１ｃ  ストッパー部
１１ｄ，２１ｄ  操作部
１２  摺動保持部
１２ａ，１２ｂ  回動支持部
１３  連通孔保護部
１５，２５  切換固定部
１５ａ  第一係合部
１５ｂ  第二係合部
１５ｃ  プランジャー
２１ｂ  回動軸
２１ｃ  回動用突起部
３０  載置面
【要約】
【課題】  部品点数の少ない合理的かつ簡素な構造で、大気連通孔の開閉を切換え可能で、不具合が発生し難く、大気連通孔の開閉動作をワンタッチで行え、計量時は大気連通孔を開放して測定精度を確保でき、非使用時は大気連通孔を密閉して完全な防水状態が得られ、全体を水没させて殺菌、丸洗いによる洗浄が可能で、衛生的でメンテナンス性、取扱い性、動作安定性、開閉状態の確認容易性、止水の確実性に優れる止水機構付き秤の提供。
【解決手段】  大気連通孔の開口周縁に配設されたパッキンと、筐体の内側でパッキンに当接する止水部材と、止水部材を筐体の内側から外側に付勢して大気連通孔を閉塞するバネ性を有する付勢部材と、付勢部材の付勢方向と直交方向に摺動又は付勢部材の付勢方向と平行な面内若しくは直交する面内で回動して止水部材を筐体の外側から内側に押圧し大気連通孔を開放する押圧部を備えた開閉切換部と、を有する止水機構を備えている。
【選択図】  図１【図１】
0004161006.tif 000002
【図２】
0004161006.tif 000003
【図３】
0004161006.tif 000004
【図４】
0004161006.tif 000005
【図５】
0004161006.tif 000006
【図６】
0004161006.tif 000007
【図７】
0004161006.tif 000008
【図８】
0004161006.tif 000009
【図９】
0004161006.tif 000010
【図１０】
0004161006.tif 000011